(57)【要約】【課題】エレベータのかごまわりに施設される配線用ケーブルは、昇降路外からかごが見えるエレベータの場合に意匠性が損なわれることを防止するために、見えない場所へ施設する必要がある。【解決手段】少なくとも一部が外から見えるように形成された昇降路と、この昇降路を移動するように設けられたかご１と、このかごの外壁に沿って固定された配線用ケーブル４とを備えたエレベータにおいて、上記配線用ケーブルとして、絶縁被覆層が透明材料で構成された配線用ケーブル４を用いることにより、課題を解消したものである。【選択図】図１
2006008366.tif 000002
【特許請求の範囲】
【請求項１】
少なくとも一部が外から見えるように形成された昇降路と、この昇降路を移動するように設けられたかごと、このかごの外壁に沿って固定された配線用ケーブルとを備えたエレベータにおいて、上記配線用ケーブルとして、絶縁被覆層が透明材料で構成された配線用ケーブルを用いてなることを特徴とするエレベータ。
【請求項２】
上記配線用ケーブルは、横断面が扁平に形成されてなり、上記絶縁被覆層に複数の導電部材を離間させて互いに平行に埋設してなることを特徴とする請求項１に記載のエレベータ。
【発明の詳細な説明】
【技術分野】
【０００１】
この発明はエレベータに関し、特にかごの外側が外部から見える例えば展望用エレベータ、シースルーエレベータなどのかごまわりに施設する配線ケーブルの改良に関するものである。
【背景技術】
【０００２】
エレベータのかごのまわりに施設する配線用ケーブルに関しては、かごの下へ吊り下げたエレベータ制御ケーブルを、かご上部にある操作装置へ電気的に接続するために、かご下からかご上へ施設されたものがある（例えば特許文献１参照。）。
【０００３】
【特許文献１】特開平７−２４２３７８号公報（第１頁、図１）
【発明の開示】
【発明が解決しようとする課題】
【０００４】
エレベータのかごまわり配線用ケーブルの施設位置は、かご下に設けられた機器の位置やかご上に設けられた機器の位置、及び昇降路に設けられた機器の位置などを総合的に検討して決定される。かごの外側が見えるエレベータの場合は、従来の配線用ケーブルの見栄えは良くなかったので、配線用ケーブルを見え難い位置へ施設する条件を加えて配線用ケーブルの施設位置を検討しなければならず、製造に余計な検討とそのための時間を要するという課題があった。
【０００５】
この発明は、上記のような従来技術の課題を解消するためになされたもので、かごの外側が見えるエレベータのかごまわりに設ける配線用ケーブルを施設する際に、配線用ケーブルを見え難い位置へ施設する条件を加えて検討する必要がなく、外観上も美観的に優れたエレベータを提供することを目的とするものである。
【課題を解決するための手段】
【０００６】
この発明によるエレベータは、少なくとも一部が外から見えるように形成された昇降路と、この昇降路を移動するように設けられたかごと、このかごの外壁に沿って固定された配線用ケーブルとを備えたエレベータにおいて、上記配線用ケーブルとして、絶縁被覆層が透明材料で構成された配線用ケーブルを用いることにより、上記課題を解消したものである。
【発明の効果】
【０００７】
この発明においては、かごの外壁に沿って設ける配線用ケーブルとして、絶縁被覆層が透明材料で構成された配線用ケーブルを用いるようにしたことにより、配線用ケーブルの存在が目立たなくなるので、外観上意匠性低下の影響が小さく配線用ケーブルの施設位置を検討する際に外部から死角となる見え難い位置へ施設する条件を考慮せずとも良くなるという効果が得られる。
【発明を実施するための最良の形態】
【０００８】
実施の形態１．
以下、この発明の一実施例を図について説明する。図１はこの発明の実施の形態１によるエレベータのかご部分の外観を模式的に示す要部側面図、図２は図１のＩＩ−ＩＩ線における矢視断面図、図３は図１に示すかごのまわりに用いる配線用ケーブルを拡大して示す断面図である。図において、エレベータのかご１は、図示を省略している巻上機に巻き掛けられたロープ２によって少なくとも一部がシースルーに形成された図示を省略している昇降路に吊り下げられ、該昇降路に固定されたガイドレール３によってガイドされる。上記かご１の奥側側壁には、外部が透視できる例えば透明、半透明あるいは偏光特性を有するガラス、プラスチックなどからなる窓１ａが設けられ、また、エレベータ外部からの見栄えを良くするように仕上げられたエレベータの外壁を形成する外装１ｂが設置され、さらに外装１ｂの端部近傍に沿って上下方向に真直ぐに配線用ケーブル４が設けられている。
【０００９】
上記配線用ケーブル４は、図３に示すようにこの実施の形態１では配線用ケーブル４の延在方向（長手方向）に沿って互いに平行に略等間隔に離間して設けられた複数本の素線導体が束ねられた線心束からなる複数の導電部材４ａと、この導電部材４ａのまわりを被覆する透明絶縁体から成る絶縁被覆層としての外皮４ｂとによって構成されており、横断面が扁平に形成されている。なお、図２に示す１ｃは出入口の扉である。その他の機器類等はこの発明とは直接関係がない部分であるので図示を省略している。また、各図を通じて同一符号は同一部分を示している。
【００１０】
上記のように構成されたこの発明の実施の形態１においては、図示を省略している昇降路の外部から、エレベータのかご１を、外装１ｂが見える方向から見たときは、外装１ｂの手前にかごまわりに施設された配線用ケーブル４が見える。その際に、配線用ケーブル４の外皮４ｂは透明なので、外皮４ｂを通して後ろにある外装１ｂが見えることになり、導電部材４ａが透けて見えるとは言うものの、配線用ケーブル４の存在感は大幅に軽減されることとなる。また、複数の導電部材４ａは互いに平行に略等間隔に設けられているので、幾何学的にも綺麗であり美観を損ねる恐れがほとんどない。
【００１１】
上記のように、この発明の実施の形態１によれば、配線用ケーブル４として、絶縁被覆層としての外皮４ｂが透明材料で構成された配線用ケーブルを用いたことにより、配線用ケーブルの存在が目立たなくなるので、外観上意匠性低下の影響が小さく配線用ケーブルの施設位置を検討する際に外部から死角となる見え難い位置へ施設する条件を考慮せずとも良くなるという効果が得られる。このため、組立、製造が容易となって時間の短縮も図れ、また、配線用ケーブルを無駄に迂回させる必要がなくなるので、配線長を短くできるという利点も得られる。
【００１２】
なお、上記実施の形態１においては、配線用ケーブル４の導電部材として、複数本の素線導体が束ねられた線心束からなる導電部材４ａを用いた場合について説明したが、素線導体や導電部材の形状、構成などは実施の形態のものに限定されないことは言うまでもない。また、絶縁被覆層としての外皮４ｂは、無色透明のほか、例えば着色された透明材などであっても良い。着色透明材の場合には、例えばかご１の外装１ｂと同系の色を用いることにより、配線用ケーブル４の存在感をさらに軽減することもできる。
【図面の簡単な説明】
【００１３】
【図１】この発明の実施の形態１によるエレベータのかご部分の外観を模式的に示す要部側面図である。
【図２】図１のＩＩ−ＩＩ線における矢視断面図である。
【図３】図１に示すかごのまわりに用いる配線用ケーブルを拡大して示す断面図である。
【符号の説明】
【００１４】
１  かご、  １ａ  窓、  １ｂ  外装、  １ｃ  扉、  ２  ロープ、  ３  ガイドレール、  ４  配線用ケーブル、  ４ａ  導電部材、  ４ｂ  絶縁被覆層（外皮）。
【図１】
2006008366.tif 000003
【図２】
2006008366.tif 000004
【図３】
2006008366.tif 000005